(57)【要約】【課題】  録画した番組の放送日時、チャンネル、および内容等をユーザが容易に認識できるテレビ番組記録再生装置およびプログラムを提供する。【解決手段】  本プログラムは定期的に電子番組表データを受信する処理を実行する。受信した電子番組表データから時間軸とチャンネル軸で表された番組一覧表を作成して表示する。録画予約をされた番組は表示を視覚的に変更して、ユーザが容易に認識できるようにする。さらに番組一覧表には現在時刻線を表示し、終了した過去の番組は番組一覧表に表示しない、あるいは視覚的に目立ちにくく表示する。録画済の番組は番組一覧表に表示する、あるいは視覚的に見えやすく表示する。したがってユーザは録画した各番組の放送された日時、チャンネル、内容等を容易に判断することができる。【選択図】  図１
2006033708.tif 000002
【特許請求の範囲】
【請求項１】
テレビチューナを備えたパーソナルコンピュータに、
録画を予約された番組を録画するとともに、その番組の放送チャンネルおよび放送時間を録画番組情報として記録する手順、
録画番組情報に基づき、録画済の番組情報を、放送チャンネル・放送時間を横軸・縦軸とする一覧表形式で表示する録画済番組表示手順、
を実行させるテレビ番組記録再生プログラム。
【請求項２】
テレビチューナを備えたパーソナルコンピュータに、
録画番組情報に基づき、録画済の番組情報を、各番組情報毎に順番に並べるリスト形式で表示する録画済番組リスト表示手順、
一覧表形式とリスト形式の表示をユーザの操作に応じて切り替える表示切り替え手順、
をさらに実行させる請求項１に記載のテレビ番組記録再生プログラム。
【請求項３】
テレビチューナを備えたパーソナルコンピュータに、
テレビ放送の番組情報を記載した電子番組表データを受信する手順、
受信した電子番組表データに基づき、将来の放送番組情報を、放送チャンネル・放送時間を横軸・縦軸とする一覧表形式で表示する将来番組表示手順、
をさらに実行させる請求項１または請求項２に記載のテレビ番組記録再生プログラム。
【請求項４】
将来番組表示手順は、録画を予約された番組情報の表示態様を変更する手順を含む請求項３に記載のテレビ番組記録再生プログラム。
【請求項５】
録画済番組表示手順は、電子番組表データに基づき、前記一覧表に録画していない過去の番組情報を表示態様を変更してさらに表示する手順を含む請求項３または請求項４に記載のテレビ番組記録再生プログラム。
【請求項６】
テレビチューナを備えたパーソナルコンピュータに、
録画済の番組情報が表示されている場合において、いずれかの番組情報の表示エリアが選択されたとき、その録画済の番組を再生する手順、をさらに実行させる請求項１乃至請求項５のいずれかに記載のテレビ番組記録再生プログラム。
【請求項７】
テレビ放送を受信するテレビ放送受信部と、
録画を予約された放送番組を録画する番組記録部と、
番組記録部が録画する番組の放送チャンネルおよび放送時間を録画番組情報として記録する録画番組情報記録部と、
録画番組情報に基づき、録画済の番組情報を、放送チャンネル・放送時間を横軸・縦軸とする一覧表形式で表示する録画済番組表示処理、を実行する表示制御部と、
を備えたテレビ番組記録再生装置。
【請求項８】
前記表示制御部は、前記録画済番組表示処理、または、録画番組情報に基づき、録画済の番組情報を、各番組情報毎に順番に並べるリスト形式で表示する録画済番組リスト表示処理、のいずれかをユーザの操作に応じて実行する請求項７に記載のテレビ番組記録再生装置。
【請求項９】
テレビ放送の番組情報を記載した電子番組表データを受信する番組予定表データ受信部をさらに備え、
前記表示制御部は、受信した電子番組表データに基づき、将来の放送番組情報を、放送チャンネル・放送時間を横軸・縦軸とする一覧表形式で表示する将来番組表示処理、をさらに実行する請求項７または請求項８に記載のテレビ番組記録再生装置。
【請求項１０】
前記表示制御部は、将来番組表示処理において録画を予約された番組情報の表示態様を変更する請求項９に記載のテレビ番組記録再生装置。
【請求項１１】
前記表示制御部は、録画済番組表示処理において電子番組表データに基づき、前記一覧表に録画していない番組情報を表示態様を変更してさらに表示する請求項９または請求項１０に記載のテレビ番組記録再生装置。
【請求項１２】
録画済の番組情報が表示されている場合において、いずれかの番組情報の表示エリアが選択されたとき、その録画済の番組を再生する処理を実行する番組再生制御部、
を備えた請求項７乃至請求項１１のいずれかに記載のテレビ番組記録再生装置。
【発明の詳細な説明】
【技術分野】
【０００１】
この発明は、テレビ放送を受信、録画するテレビ番組記録再生プログラムおよびテレビ番組記録再生装置に関し、特に録画した番組の管理に関する。
【背景技術】
【０００２】
近年、ハードディスク等の記憶容量が大幅に拡大し、ハードディスクを搭載したレコーダにテレビ番組を多数録画、保存することが可能となっている。また、複数のチューナを搭載し、同時に複数番組を録画できるレコーダ等も提案されている。従来、番組の録画を予約するには、ユーザが新聞や雑誌の番組欄を見て、所望の番組の放送日、放送チャンネル、放送開始時刻、および放送終了時刻を指定するという方式が主に行われていた。しかし、多数の番組を録画するようになると、各番組に対して上記指定をする必要があり、操作が煩雑となるだけでなくユーザの入力ミスにより誤って録画されてしまう場合もあった。
【０００３】
そこでこのような問題を解決するものとして、インターネット等で配信されるＥＰＧ（Ｅｌｅｃｔｒｏｎｉｃ  Ｐｒｏｇｒａｍ  Ｇｕｉｄｅ）という電子番組表を用いて録画予約を行う方法が提案されている。この録画予約ではＥＰＧに基づいて各番組の時間とチャンネルで表示した番組表（いわゆるラジオテレビ欄）を画面に表示し、その中から録画したい番組を選択することで録画予約が完了するというものである。さらに電子番組表を基に各番組をカテゴリに分類して、ユーザの嗜好にあった番組を容易に選択できる番組選択方法も提案されている。（例えば特許文献１参照）。
【特許文献１】特開２０００−１１５６４６号公報
【発明の開示】
【発明が解決しようとする課題】
【０００４】
特許文献１に記載の方法では各番組の内容をユーザが把握しやすく、録画予約を正確にかつ容易に行うことができる。しかし、録画済の番組が多数になると、ユーザは録画したそれぞれの番組がいつどのチャンネルで放送されたものであるか容易に判断できず、それぞれの番組内容の把握に手間がかかるという問題があった。
【０００５】
この発明は、録画した番組の放送日時、チャンネル、および内容等をユーザが容易に認識できるプログラムおよびテレビ番組記録再生装置を提供することを目的とする。
【課題を解決するための手段】
【０００６】
請求項１に記載の発明は、テレビチューナを備えたパーソナルコンピュータに、録画を予約された番組を録画するとともに、その番組の放送チャンネルおよび放送時間を録画番組情報として記録する手順、録画番組情報に基づき、録画済の番組情報を、放送チャンネル・放送時間を横軸・縦軸とする一覧表形式で表示する録画済番組表示手順、を実行させることを特徴とする。
【０００７】
この発明では、予約した番組を録画するときにその番組の放送チャンネルや放送時間を録画番組情報として記録する。録画した番組は録画番組情報を基にして、放送チャンネルを横軸、放送時間を縦軸とした新聞のテレビ欄風の一覧表に表示する。これにより録画した番組がいつどのチャンネルで放送されたかを容易に認識できる。
【０００８】
請求項２に記載の発明は、上記発明において、テレビチューナを備えたパーソナルコンピュータに、録画番組情報に基づき、録画済の番組情報を、各番組情報毎に順番に並べるリスト形式で表示する録画済番組リスト表示手順、一覧表形式とリスト形式の表示をユーザの操作に応じて切り替える表示切り替え手順、をさらに実行させることを特徴とする。
【０００９】
この発明では、録画した番組は録画番組情報を基にして放送チャンネルを横軸、放送時間を縦軸とした新聞のテレビ欄風の一覧表または、各番組情報を順番に並べてリスト形式に表示する。テレビ欄風の一覧表とリスト形式の表示はユーザの操作に応じて切り替えることができる。
【００１０】
請求項３に記載の発明は、上記発明において、テレビチューナを備えたパーソナルコンピュータに、テレビ放送の番組情報を記載した電子番組表データを受信する手順、受信した電子番組表データに基づき、将来の放送番組情報を、放送チャンネル・放送時間を横軸・縦軸とする一覧表形式で表示する将来番組表示手順、をさらに実行させることを特徴とする。
【００１１】
この発明では、電子番組表データを受信して、電子番組表データを基にして将来の番組を一覧表にさらに表示する。
【００１２】
請求項４に記載の発明は、上記発明において、将来番組表示手順は、録画を予約された番組情報の表示態様を変更する手順を含むことを特徴とする。
【００１３】
この発明では、一覧表の表示において、予約された番組を他の番組と異なった表示態様にする。例えば番組情報表示エリア内で開始時刻から終了時刻まで矢印を表示する。これによりどの番組が録画予約されているかが一覧表をみることで容易に判断できる。
【００１４】
請求項５に記載の発明は、上記発明において、録画済番組表示手順は、電子番組表データに基づき、前記一覧表に録画していない過去の番組情報を表示態様を変更してさらに表示する手順を含むことを特徴とする。
【００１５】
この発明では、一覧表の表示において、録画していない過去の番組を他の番組と異なる表示態様でさらに表示する。例えば、視覚的に目立たなく表示、つまり色濃度を薄く表示する。これによりどの番組が録画されて、どの番組が録画されていないのかを容易に判断できる。
【００１６】
請求項６に記載の発明は、上記発明において、テレビチューナを備えたパーソナルコンピュータに、録画済の番組情報が表示されている場合において、いずれかの番組情報の表示エリアが選択されたとき、その録画済の番組を再生する手順、をさらに実行させることを特徴とする。
【００１７】
この発明では、一覧表に表示された各番組情報エリアを選択するとその番組を再生する。つまり、ユーザが一覧表に表示された各番組情報エリアをマウスでクリックしたときその番組を再生する。これにより録画した番組を容易に再生することができる。
【００１８】
請求項７に記載の発明は、テレビ放送を受信するテレビ放送受信部と、録画を予約された放送番組を録画する番組記録部と、番組記録部が録画する番組の放送チャンネルおよび放送時間を録画番組情報として記録する録画番組情報記録部と、録画番組情報に基づき、録画済の番組情報を、放送チャンネル・放送時間を横軸・縦軸とする一覧表形式で表示する録画済番組表示処理、を実行する表示制御部と、を備えたことを特徴とする。
【００１９】
この発明では、予約した番組を録画するときにその番組の放送チャンネルや放送時間を録画番組情報として記録する。録画した番組は録画番組情報を基にして、放送チャンネルを横軸、放送時間を縦軸とした新聞のテレビ欄風の一覧表に表示する。これにより録画した番組がいつどのチャンネルで放送されたかを容易に認識できる。
【００２０】
請求項８に記載の発明は、上記発明において、前記表示制御部は、前記録画済番組表示処理、または、録画番組情報に基づき、録画済の番組情報を、各番組情報毎に順番に並べるリスト形式で表示する録画済番組リスト表示処理、のいずれかをユーザの操作に応じて実行することを特徴とする。
【００２１】
この発明では、録画した番組は録画番組情報を基にして放送チャンネルを横軸、放送時間を縦軸とした新聞のテレビ欄風の一覧表または、各番組情報を順番に並べてリスト形式に表示する。テレビ欄風の一覧表とリスト形式の表示はユーザの操作に応じて切り替えることができる。
【００２２】
請求項９に記載の発明は、上記発明において、テレビ放送の番組情報を記載した電子番組表データを受信する番組予定表データ受信部をさらに備え、前記表示制御部は、受信した電子番組表データに基づき、将来の放送番組情報を、放送チャンネル・放送時間を横軸・縦軸とする一覧表形式で表示する将来番組表示処理、をさらに実行することを特徴とする。
【００２３】
この発明では、電子番組表データを受信して、電子番組表データを基にして将来の番組を一覧表にさらに表示する。
【００２４】
請求項１０に記載の発明は、上記発明において、前記表示制御部は、将来番組表示処理において録画を予約された番組情報の表示態様を変更することを特徴とする。
【００２５】
この発明では、一覧表の表示において、予約された番組を他の番組と異なった表示態様にする。例えば番組情報表示エリア内で開始時刻から終了時刻まで矢印を表示する。これによりどの番組が録画予約されているかが一覧表をみることで容易に判断できる。
【００２６】
請求項１１に記載の発明は、上記発明において、前記表示制御部は、録画済番組表示処理において電子番組表データに基づき、前記一覧表に録画していない番組情報を表示態様を変更してさらに表示することを特徴とする。
【００２７】
この発明では、一覧表の表示において、録画していない過去の番組を他の番組と異なる表示態様でさらに表示する。例えば、視覚的に目立たなく表示、つまり色濃度を薄く表示する。これによりどの番組が録画されて、どの番組が録画されていないのかを容易に判断できる。
【００２８】
請求項１２に記載の発明は、上記発明において、録画済の番組情報が表示されている場合において、いずれかの番組情報の表示エリアが選択されたとき、その録画済の番組を再生する処理を実行する番組再生制御部、を備えたことを特徴とする。
【００２９】
この発明では、一覧表に表示された各番組情報エリアを選択するとその番組を再生する。つまり、ユーザが一覧表に表示された各番組情報エリアをマウスでクリックしたときその番組を再生する。これにより録画した番組を容易に再生することができる。
【発明の効果】
【００３０】
この発明によれば、番組を録画するときに放送チャンネルと放送時間を記録し、チャンネル・時間を横軸・縦軸とした一覧表形式または順番に並べるリスト形式で表示するので、ユーザは録画した番組がいつどのチャンネルで放送されたのかを容易に判断できる。さらに一覧表に表示された各番組情報エリアを選択するとその番組が再生されるため、録画したデータがハードディスク内のどこにあるのか探す必要なく容易に視聴することができる。また、録画を予約した番組は他の番組情報と表示態様が異なるため、録画した番組の放送日時、チャンネル、および内容をユーザが容易に判断することができる。
【発明を実施するための最良の形態】
【００３１】
図１はこの発明の実施形態であるテレビ番組記録再生プログラムが実行されるパーソナルコンピュータのブロック図である。パーソナルコンピュータは電子番組表データを取得する通信部１、パーソナルコンピュータを制御する制御部２、制御部２における処理に用いられる情報を一時記憶するメモリ３、テレビ放送を受信してデジタルデータに変換する受信部４、ソフトウェア、および録画した番組を記憶するハードディスク５、ハードディスク５に記憶しているデータをＤＶＤメディアに記録するＤＶＤドライブ６、映像を外部のディスプレイに表示する表示部７を備えている。なお、受信部４、ハードディスク５、およびＤＶＤドライブ６については例えばＵＳＢインタフェースで接続する外付機器であってもよい。
【００３２】
電子番組表データは情報提供業者によってあらかじめ作成され、一定期間内に放送される各番組の予定を示したテキストデータである。電子番組表データには各番組の放送日時、曜日、チャンネル、番組名、ジャンル、簡単な番組内容説明等が記されている。電子番組表データは定期的に更新されており、任意に受信することができる。なお、本実施形態ではインターネット８に接続した通信部１が電子番組表データを受信する方式について述べるが、放送の電波の隙間を使って送信されてくる電子番組表データを受信する方式であってもよい。放送電波の隙間を使って送信されてくる場合は１日に数回決まった日時に配信される。
【００３３】
制御部２はハードディスク５からソフトウェアをメモリ３にロードするとともに、パーソナルコンピュータを動作するために必要な情報をメモリ３にロードする。番組はＭＰＥＧ２（Ｍｏｖｉｎｇ  Ｐｉｃｔｕｒｅ  Ｅｘｐｅｒｔｓ  Ｇｒｏｕｐ  ｐｈａｓｅ  ２）データに圧縮してハードディスク５に記憶する。また、番組を録画した日時、曜日、チャンネル、番組名、ジャンル、簡単な番組内容説明等を記載したテキストデータである情報ファイルをＭＰＥＧ２データとともに作成してハードディスク５内の同一フォルダに記憶する。ハードディスク５は電子番組表データや予約テーブル等も記憶する。また、制御部２はハードディスク５に記憶されているデータやＤＶＤドライブ６内のＤＶＤメディア等のデータを再生し、表示部７からディスプレイに表示する。なお、メディアおよびドライブはＤＶＤに限定せずデータ書き込みが可能であればどのようなものであってもよい。
【００３４】
受信部４は複数のチューナを備えており、複数チャンネルのテレビ放送を同時に受信することができる。本実施形態は複数のチューナを備えた受信部を示しているが、単一のチューナを備えた受信部であってもよいし、単一のチューナを備えた外付機器を複数同時接続するものであってもよい。さらに各チューナは、アナログ放送を受信した場合にその放送の映像および音声をデジタルデータに変換できるようにエンコーダを備えている。なお、エンコードを制御部２で行って、受信部４内にエンコーダが無い場合であってもよい。デジタルデータに変換された各番組はハードディスク５に記憶されていく。ハードディスク５への書き込み速度は全チャンネルのデータレートよりも高速である。
【００３５】
本実施形態のテレビ番組記録再生プログラムは上述の電子番組表データを受信して、これを一覧表形式で表示部７から表示する。
【００３６】
図２は本実施形態のテレビ番組記録再生プログラムにおいて表示される番組一覧表を示した図である。この番組一覧表は電子番組表データを基にして作成する。同図のように横方向にチャンネル軸があり、各チャンネルが仕切られている。縦方向は時間軸であり、各番組の開始時刻と終了時刻で仕切られている。時刻の仕切りは電子番組表データを基に表示する。仕切り内には電子番組表データに記載された番組開始時刻を表示し、番組内容の簡単な説明を表示する。さらに、電子番組表データに記載されたジャンル毎に色分けして表示してもよい。同図に示した矢印は録画予約をした番組を表している。このように予約がなされていない番組と予約済の番組とで異なった表示を行うようにする。なお、矢印でなく視覚的に異なった表示、例えば予約された番組は色濃度を変更して濃い表示をしてもよい。さらに、同図の番組一覧表中に示した番組仕切り線よりも太い横実線は現在時刻線を示している。現在時刻線は１分毎に番組一覧表下方向に移動する。
【００３７】
同図上部に示した一覧表アイコン９を選択すると同図の番組一覧表画面を表示する。リストアイコン１０を選択した場合は後述する録画済の番組リストを表示する。ダウンロードアイコン１１を選択すると電子番組表データを受信する。電子番組表データは所定の配信時刻に自動で受信するが、ダウンロードアイコン１１を選択することでユーザがマニュアルで受信することもできる。検索アイコン１２を選択するとキーワードを入力する画面を表示し（図示せず）、ユーザが入力したキーワードに該当する番組を電子番組表データから検索する。検索して得られた番組について録画予約を実行することができる。
【００３８】
なお、電子番組表データがまったく受信されていない初期の状態では番組一覧表画面にはアイコンだけが表示され、中央の一覧表には何も表示されない。また、番組をまったく記録していない状態ではリストアイコン１０を選択して表示される番組リストには何も表示されない。
【００３９】
図３は本実施形態のテレビ番組記録再生プログラムにおいて表示される録画済の番組リストを示した図である。このリストは番組を録画した時に作成した情報ファイルを基にして作成する。番組名は電子番組表データに記載された番組名を基にしている。録画日、開始時刻および終了時刻は実際に録画した日時を基にする。視聴回数は番組を再生した回数をカウントして表示する。最終視聴日は番組を再生した最終日を表示する。なお、番組名順、録画日時順、放送局名順、視聴回数順、最終視聴日順でそれぞれ並び替えることができる。また、ユーザがこの番組リストに表示された各番組を選択して実行すると、該当するＭＰＥＧ２データを再生して番組を視聴することができる。
【００４０】
図４は本実施形態のテレビ番組記録再生プログラムにおいて表示される過去の番組表示を変更した番組一覧表を示した図である。この番組一覧表は電子番組表データを基に作成した番組一覧表にさらに、終了した過去の番組の表示を変更したものである。番組が終了し、録画をしていない番組については表示を行わないようにする。あるいは視覚的に目立たなく表示、例えば色濃度を淡く表示するようにしてもよい。録画済の番組についてはそのまま表示する、あるいは視覚的に強調された表示をしてもよい。上述の番組リストと同様に番組を録画した時作成した情報ファイルを基にして表示する。番組一覧表に表示された番組は各番組データとリンクしており、ユーザが番組一覧表に表示された各番組を選択して実行すると、該当するＭＰＥＧ２データを再生して番組を視聴することができる。
【００４１】
なお、本実施形態のテレビ番組記録再生プログラムは録画済の番組を自動消去する機能を有している。録画した番組の総データ容量が所定量以上になった時点で録画日時の古い番組から順に消去していく。消去した番組は上述の番組一覧表に表示を行わないようにする、あるいは視覚的に目立たない表示に変更する。消去を実行開始する総データ容量の所定量はユーザが任意に設定できるものとし、ハードディスク容量の限度付近まで設定することもできる。さらにユーザは各番組をマニュアルで消去することもできる。ユーザが上述の番組一覧表または番組リスト上に表示された各番組を選択して消去を指定すると、各番組のデータおよび情報ファイル等を消去する。また、各番組は自動的に消去されないようにプロテクトすることもできる。プロテクトした番組は録画した日時に関係なく消去せずに保存する。プロテクトは上述の番組一覧表または番組リストに表示された各番組を選択して設定する。
【００４２】
図５は本実施形態のテレビ番組記録再生プログラムの動作を示したフローチャートである。通信部１は電子番組表データの配信時刻に達すると（ｓ１）、これを受信する（ｓ２）。電子番組表データはインターネット８から受信する。配信時刻は任意に設定することができる。受信した電子番組表データはハードディスク５に記憶し、すでに記憶している番組表データは上書きして更新する（ｓ３）。その後、番組一覧表表示命令があった場合（ｓ４）、すなわちユーザが一覧表アイコン９をマウスでクリックして選択した場合、図２に示したようなフォーマットの番組一覧表作成処理を実行する（ｓ５）。この処理が行われるまでは図２に示した番組一覧表にはアイコンだけが表示され中央の一覧表部分には何も表示していない。
【００４３】
ユーザは任意の時点で番組の録画予約をする（ｓ６）。録画予約の命令を実行すると、番組予約処理を実行する（ｓ７）。録画予約をする方法は、例えばユーザが上述の番組一覧表に表示された各番組を選択する、すなわち番組欄の表示エリアをマウスでクリックすることで行う。予約された番組の開始時刻、終了時刻、チャンネル等の情報は予約テーブルに記憶される。また、ユーザがマニュアルで録画開始時刻、終了時刻、チャンネルを入力して予約をするようにしてもよいし、ユーザが任意のキーワードを入力し、各番組の電子番組表データを参照してキーワードに該当する番組を自動的に予約するようにしてもよい。なお、受信部４は複数のチューナとエンコーダを有しているので、ユーザが任意に特定のチャンネルを１つから複数選択して、選択したチャンネルの全番組を予約することもできる。無論、全チャンネルの全番組を予約することもできる。チャンネル数が多い地域やデジタル多チャンネル放送などを受信して、全チャンネルを同時に録画できるチューナ数が無く、録画予約が競合する場合は自動的に優先度の高い順に番組を選択する。ユーザがマニュアルで選択した番組を最も優先度の高い番組とし、キーワード入力によって自動的に予約された場合は、ユーザがキーワードを入力する際に各キーワードに優先度をつけることができる。
【００４４】
その後、予約した番組が録画開始時刻に達した場合（ｓ８）、該当する番組の録画処理を行う（ｓ９）。予約した番組が録画終了時刻に達した場合（ｓ１０）、録画終了処理を実行する（ｓ１１）。また、各番組が終了した時点で（ｓ１２）、番組の表示を変更する（ｓ１３）。表示の変更は終了した番組を番組一覧表から消去してもよいし、視覚的に目立たなく表示するようにしてもよい。表示を変更することでユーザは番組が終了したことを容易に判断できる。
【００４５】
図６は番組一覧表作成処理を示したフローチャートである。電子番組表データに記載された番組放送日時、曜日、チャンネル、番組名、ジャンル等から図２に示した番組一覧表を作成する（ｓ１４）。その後作成した番組一覧表を表示部７からディスプレイ等に表示する（ｓ１５）。さらに、予約された番組がある場合は、その番組の表示を変更する（ｓ１６）。表示の変更については録画開始から終了時刻まで矢印を表示すればよい。
【００４６】
図７は番組予約処理を示したフローチャートである。予約がなされると予約テーブルに予約情報を追加する（ｓ１７）。予約テーブルはハードディスク５に記憶されている。予約情報は録画開始時刻、録画終了時刻、チャンネル等である。予約情報を追加すると、番組一覧表の表示を変更する（ｓ１８）。表示の変更は、ここでも例えば録画開始から終了時刻まで矢印を表示すればよい。
【００４７】
図８は番組録画処理を示したフローチャートである。録画予約時刻に達すると番組の録画を開始する（ｓ１９）。番組の録画はアナログ放送を受信する場合にその放送の映像および音声をデジタルデータに変換、すなわちＭＰＥＧ２に圧縮したファイルとして録画する。さらに録画する番組の情報ファイルを作成する（ｓ２０）。情報ファイルは該番組の録画した日時、曜日、チャンネル、番組名、ジャンル、簡単な番組内容説明等を記載したテキストデータである。番組名、ジャンル、簡単な番組内容説明等は電子番組表データに記載された内容を基にする。番組を録画したＭＰＥＧ２データファイルと情報ファイルは同一のフォルダに収納し、ハードディスク５内の任意のディレクトリに記憶する。
【００４８】
図９は録画終了処理を示したフローチャートである。録画終了時刻に達すると、まず番組の録画を停止する（ｓ２１）。その後、録画した番組の情報ファイルに終了時刻を記載する（ｓ２２）。その後、情報ファイルを基にして番組一覧表に番組を表示する（ｓ２３）。表示の方法は電子番組表データを基にして作成した表示と同様の表示形式でもよいが、視覚的により強調されて見えやすい表示であってもよい。さらに番組一覧表に表示した番組と録画したＭＰＥＧ２データにリンクを作成して（ｓ２２）、ユーザが番組一覧表上の各番組を選択して実行すると番組が再生されるようにする。
【００４９】
以上のように本実施形態のテレビ番組記録再生プログラムは、電子番組表データを受信して時間軸とチャンネル軸で表された番組一覧表を作成して表示する。録画予約をされた番組は視覚的に表示を変更するため、予約した番組の日時やチャンネルをユーザが容易に認識することができる。さらに番組一覧表には現在時刻線を表示するため、現在放送されている各番組を容易に認識することができる。終了した過去の番組は番組一覧表に表示しない、あるいは視覚的に目立ちにくく表示し、録画済の番組は番組一覧表に表示する、あるいは視覚的に見えやすく表示するため、ユーザは録画した各番組の放送された日時、チャンネル、内容等を容易に判断することができる。
【図面の簡単な説明】
【００５０】
【図１】パーソナルコンピュータのブロック図
【図２】番組一覧表を示した図
【図３】録画済の番組リストを示した図
【図４】過去の番組表示を変更した番組一覧表を示した図
【図５】プログラムの動作を示したフローチャート
【図６】番組一覧表作成処理を示したフローチャート
【図７】番組予約処理を示したフローチャート
【図８】番組録画処理を示したフローチャート
【図９】録画終了処理を示したフローチャート
【符号の説明】
【００５１】
１−通信部
２−制御部
３−メモリ
４−受信部
５−ハードディスク
６−ＤＶＤドライブ
７−表示部
８−インターネット
９−一覧表アイコン
１０−リストアイコン
１１−ダウンロードアイコン
１２−検索アイコン
【図１】
2006033708.tif 000003
【図２】
2006033708.tif 000004
【図３】
2006033708.tif 000005
【図４】
2006033708.tif 000006
【図５】
2006033708.tif 000007
【図６】
2006033708.tif 000008
【図７】
2006033708.tif 000009
【図８】
2006033708.tif 000010
【図９】
2006033708.tif 000011